(57)【要約】      （修正有）【課題】靴のフィット感、着用時の快適さ、および製造を改善するための靴のヒール構造を提供する。【解決手段】靴、特に運動靴であって、ヒール部分１１０と、前記靴の前記ヒール部分内に配置された適応ヒール要素１２０であって、ストレッチ材料を含む適応ヒール要素と、前記ヒール部分内に配置されたヒールカウンタであって、着用者の足の踵を支持するための外側部分１３０および内側部分１４０、ならびにそれらの間の後部間隙を含むヒールカウンタと、を備え、前記後部間隙が、略垂直の分割部分１５０を形成し、前記分割部分が、前記適応ヒール要素が前記分割部分内で移動および変形することができるように適合され、前記適応ヒール要素が、前記着用者の前記踵の解剖学的形状に輪郭が合うように適合される、靴。【選択図】図１
2019080913.tif 000002
【特許請求の範囲】
【請求項１】
ａ．ヒール部分と、
ｂ．前記靴の前記ヒール部分内に配置された適応ヒール要素であって、ストレッチ材料を含む適応ヒール要素と、
ｃ．前記ヒール部分内に配置されたヒールカウンタであって、着用者の足の踵を支持するための外側部分および内側部分、ならびにそれらの間の後部間隙を含むヒールカウンタと、
を備え、
ｄ．前記後部間隙が、略垂直の分割部分を形成し、
ｅ．前記分割部分が、前記適応ヒール要素が前記分割部分内で移動および変形することができるように適合され、
ｆ．前記適応ヒール要素が、前記着用者の前記踵の解剖学的形状に輪郭が合うように適合される、
靴。
【請求項２】
前記適応ヒール要素が、前記着用者のアキレス腱の解剖学的形状に輪郭が合うように構成される、請求項１に記載の靴。
【請求項３】
ａ．前記垂直な分割部分の上端部が、２０ｍｍから３０ｍｍの間の幅を有し、
ｂ．前記垂直な分割部分の下端部が、１５ｍｍから２５ｍｍの間の幅を有する、
請求項１又は２に記載の靴。
【請求項４】
前記適応ヒール要素が、前記適応ヒール要素の長手方向の範囲に沿ってＵ字形状の輪郭を形成する、請求項１から３のいずれか一項に記載の靴。
【請求項５】
前記適応ヒール要素が、外層および内層を含み、２重層材料を形成するように折り重ねられる、請求項１から４のいずれか一項に記載の靴。
【請求項６】
前記適応ヒール要素が、前記ストレッチ材料の前記外層内に切抜きを含み、前記切抜きが、前記切抜きの縁部に沿って縫い合わせられ、前記適応ヒール要素の前記外層内の前記切抜きが、楕円形の形状または目の形状を有する、請求項１から５のいずれか一項に記載の靴。
【請求項７】
前記適応ヒール要素が、補強材料の層を含み、前記補強材料の層が、前記適応ヒール要素の前記内層と前記外層との間に配置される、請求項１から６のいずれか一項に記載の靴。
【請求項８】
前記ヒールカウンタの前記外側部分および前記内側部分が、少なくとも１つの接合要素を介して接続されるか、または一体に形成される、請求項１から７のいずれか一項に記載の靴。
【請求項９】
前記適応ヒール要素が、前記適応ヒール要素の前記内層と前記外層との間に配置される、発泡材料の少なくとも１つの部分を含む、請求項１から８のいずれか一項に記載の靴。
【請求項１０】
前記適応ヒール要素の外側および内側の縁部が、前記靴のアッパーの外側および内側の区間の縁部と接合され、前記アッパーの前記外側および内側の区間と前記適応ヒール要素との間の前記接合部が、ヒールカウンタにより少なくとも部分的に覆われる、請求項１から９のいずれか一項に記載の靴。
【請求項１１】
前記ストレッチ材料が、２方向ストレッチ丸編みサンドイッチメッシュまたは４方向ストレッチ材料を含む、請求項１から１０のいずれか一項に記載の靴。
【請求項１２】
前記ストレッチ材料が、長手方向において、おおよそ１００ニュートン（Ｎ）の荷重下で、７５％から１３０％の間のストレッチ性を示す、請求項１から１１のいずれか一項に記載の靴。
【請求項１３】
前記ストレッチ材料が、横断方向において、おおよそ１００Ｎの荷重下で、６０％から１３０％の間のストレッチ性を示す、請求項１から１２のいずれか一項に記載の靴。
【請求項１４】
前記ストレッチ材料が、３００ｇ／ｍ２から７００ｇ／ｍ２の間の面密度を示す、請求項１から１２のいずれか一項に記載の靴。
【請求項１５】
靴を製造するための方法であって、
ａ．ヒール部分を用意するステップと、
ｂ．前記靴の前記ヒール部分に配置される適応ヒール要素を用意するステップであって、前記適応ヒール要素がストレッチ材料を含む、ステップと、
ｃ．前記ヒール部分にヒールカウンタを配置するステップであって、前記ヒールカウンタが、着用者の足の踵を支持するための外側部分および内側部分、ならびにそれらの間の後部間隙を含み、前記後部間隙が、略垂直の分割部分を形成し、前記分割部分が、前記適応ヒール要素が前記分割部分内で移動および変形することができるように適合される、ステップと、
ｄ．前記適応ヒール要素が着用者の踵の解剖学的形状に輪郭が合うように適合されるように、前記適応ヒール要素を用意するステップと、
を含む、方法。
【発明の詳細な説明】
【技術分野】
【０００１】
本発明は、ヒール部分およびヒールカウンタを有し適応（ａｄａｐｔｉｖｅ）ヒール要素を含む靴、特に運動靴に関する。
【背景技術】
【０００２】
靴製造の技術分野では、また特に、高性能の運動靴の設計においては、前述の靴のヒール構造の改善に対する強い要望が存在する。例えば、ヒール領域における靴のフィット感を強化すると同時に、快適さ、性能、および／または知覚作用、ならびに製造可能性を向上させることが、望まれる。これに関連して、例えば先行技術文献の米国特許第７，１６８，１８８号明細書、米国特許第６，０２３，８５７号明細書、日本特許第４，６９，９４６４号明細書、および米国特許第９，２３２，８３１号明細書におけるように、様々なヒール構造が従来技術においてよく知られている。
【０００３】
米国特許第７，１６８，１８８号明細書は、いくつかある構成要素の中でも特に、アッパーに固定されたヒールカウンタと、ヒールカウンタの内表面に取り外し可能に取り付けられたヒールパッドとを備える、履物を開示している。
【０００４】
米国特許第６，０２３，８５７号明細書は、取り外し可能なミッドソールを含む靴に関し、ミッドソールは、いくつかある特徴の中でも特に、ミッドソールの後端部の一部分から上方に延在するヒールカウンタを含み、このヒールカウンタは、靴着用者の踵を挟むように適合されており、また、ミッドソールおよびヒールカウンタは、互いに一体化されている。
【０００５】
日本特許第０４，６９，９４６４号明細書は、ソール組立体と、ソール組立体に固定されたアッパーとを含む履物に関し、ヒールカウンタが、ソール組立体に固定され、かつ、内側部分と、内側部分に固定された外側部分とを含み、ヒールカウンタの内側部分と外側部分との間で、一部分が捕捉される。
【０００６】
米国特許第９，２３２，８３１号明細書は、いくつかある特徴の中でも特に、少なくとも靴のヒール領域に設けられかつ靴のヒール領域に沿って隆起された周辺部分を有するソールプレートを含む、靴のためのヒールカウンタ構造を開示している。
【０００７】
独国特許出願公開第１０２０１５２２４８８５号明細書、独国特許出願公開第１０２０１６２０１９７３号明細書、米国特許出願公開第２００６／０２８３０４２号明細書、独国特許出願公開第４３２９５９４号明細書、独国特許出願公開第２６０６８００号明細書、独国特許出願公開第１０２０１３２０２３５３号明細書、独国実用新案第２０１１９９０７号明細書、および米国特許出願公開第２０１７／０１９６３０９号明細書では、さらなる従来技術が開示されている。
【０００８】
しかし、従来技術において開示されたヒール構造は、様々な欠点を有する。例えば、ヒールカウンタは、靴に統合することが難しい場合があり、ヒール領域における靴のフィット感は、不十分な場合があり、および／または、ヒール部分は、ウォーキングまたはランニングなどの活動中に着用者の足の踵に、特にアキレス腱に望ましくない圧力および摩擦を与える場合がある。さらに、ヒール部分のうちのいくつかは、製造するのに費用と手間がかかる場合がある。
【先行技術文献】
【特許文献】
【０００９】
【特許文献１】米国特許第７，１６８，１８８号明細書
【特許文献２】米国特許第６，０２３，８５７号明細書
【特許文献３】日本特許第４，６９，９４６４号明細書
【特許文献４】米国特許第９，２３２，８３１号明細書
【特許文献５】独国特許出願公開第１０２０１５２２４８８５号明細書
【特許文献６】独国特許出願公開第１０２０１６２０１９７３号明細書
【特許文献７】米国特許出願公開第２００６／０２８３０４２号明細書
【特許文献８】独国特許出願公開第４３２９５９４号明細書
【特許文献９】独国特許出願公開第２６０６８００号明細書
【特許文献１０】独国特許出願公開第１０２０１３２０２３５３号明細書
【特許文献１１】独国実用新案第２０１１９９０７号明細書
【特許文献１２】米国特許出願公開第２０１７／０１９６３０９号明細書
【発明の概要】
【発明が解決しようとする課題】
【００１０】
したがって、本発明の目的は、上述の従来技術の欠点のうちの１つまたは複数を少なくとも部分的に克服して靴のフィット感、着用時の快適さ、および製造を改善するために、靴のヒール構造をさらに改善することである。
【課題を解決するための手段】
【００１１】
上述の問題は、本願の特許請求の範囲に記載の主題によって少なくとも部分的に解決される。１つの実施形態では、本発明は、靴、特に運動靴であって、ヒール部分と、靴のヒール部分内に配置された適応ヒール要素であって、ストレッチ材料を含む適応ヒール要素と、ヒール部分内に配置されたヒールカウンタであって、着用者の足の踵を支持するための外側部分（lateral portion）および内側部分（medial portion）、ならびにそれらの間の後部間隙を含む、ヒールカウンタと、を備え、後部間隙が、略垂直の分割部分を形成し、分割部分が、適応ヒール要素が分割部分内で移動および変形することができるように適合され、分割部分内の適応ヒール要素が、着用者の踵の解剖学的形状に輪郭が合うように適合される、靴を提供する。
【００１２】
例えば、ランニングおよび／またはジョギングなどのために靴が設計されている場合、この実施形態は、矢状面、前頭面、および水平面におけるアキレス腱の運動自由度を得るとともに、靴を着用したときの踵の固定を向上させる（すなわち、ランニングまたはジョギング中の足の踵とヒール部分の内表面との間の相対運動を制限する）ことを、確実にする。
【００１３】
さらなる実施形態では、ヒールカウンタは、靴のヒール部分の外面上に配置される。
【００１４】
例えば、この実施形態は、ヒールカウンタがヒール部分の別の構成要素内に統合されることを必要とせずに外部から取り付けられ得るので、靴のヒール部分の簡便な製造を可能にする。
【００１５】
本発明のさらなる実施形態では、垂直な分割部分の上端部は、２０ｍｍから３０ｍｍの間、より好ましくは２８ｍｍから２２ｍｍの間、最も好ましくは２７ｍｍから２３ｍｍの間の幅を有し、一方で、垂直な分割部分の下端部は、１５ｍｍから２５ｍｍの間、より好ましくは１７ｍｍから２３ｍｍの間、最も好ましくは１８ｍｍから２２ｍｍの間の幅を有する。
【００１６】
例えば、前述のパラメータ範囲は、様々な着用者の足の踵領域の多様な解剖学的形状に対応し、それにより、適応ヒール要素が靴の様々な着用者の間で解剖学的差異に関係なく踵領域の解剖学的形状にぴったりと輪郭を合わせられることを、確実にする。
【００１７】
本発明のさらなる実施形態では、適応ヒール要素は、靴の矢状面上に投影されたときにＳ字形状を示す。
【００１８】
前述のＳ字形状は、適応ヒール要素がしっかりとした踵の固定を提供することを確実にし、またそれと同時に、ランニングまたはジョギング中に着用者の足のアキレス腱に与えられる圧力およびそれによる摩擦が著しく減少されることを確実にする。したがって、この実施形態は、靴の着用中にマメおよび／または傷を生じる危険性を低下させる。
【００１９】
本発明のさらなる実施形態では、適応ヒール要素は、適応ヒール要素の長手方向の範囲に沿ってＵ字形状の輪郭を形成する。
【００２０】
前述のＵ字形状の輪郭は、ストレッチ材料を含む適応ヒール要素が、靴の着用中に望ましくない圧力とそれに応じた摩擦とを与えることなく、着用者のアキレス腱の解剖学的形状にしっかりとフィットすることを確実にし、それにより、マメおよび／または傷を生じる危険性をさらに低下させる。
【００２１】
本発明のさらなる実施形態では、適応ヒール要素は、外層および内層を含み、２重層材料を形成するように折り重ねられる。さらに、適応ヒール要素は、ストレッチ材料の外層内に切抜きを含むことができ、この切抜きは、切抜きの縁部に沿って縫い合わせられる。さらなる実施形態では、適応ヒール要素の外層内の切抜きは、楕円形の形状または目の形状を有することができ、かつ、適応ヒール要素の上半分または上部３分の１内に配置され得る。他の例では、切抜きの形状は、その幅の広がりがその高さの寸法よりも大きいような、別の形状を有し得る。
【００２２】
前述の実施形態は、適応ヒール要素の上述のＳ字形状を実施する簡便かつ効率的な方法を提供し、したがって、大量生産の際のより高速でより制御可能でありかつより費用のかからない製造可能性、ならびに適応ヒール要素および／または靴全体の寿命の増大をもたらすことができる。
【００２３】
本発明のさらなる実施形態では、適応ヒール要素は、補強材料の層を含み、この補強材料の層は、適応ヒール要素の内層と外層との間に配置され得る。
【００２４】
例えば、前述の実施形態は、適応ヒール要素の機械特性および／または構造特性をさらに高め、それにより、靴の構造的な剛性および寿命を向上させることに寄与する。
【００２５】
本発明のさらなる実施形態では、ヒールカウンタの外側部分および内側部分は、少なくとも１つの接合要素を介して接続されるか、または一体に形成される。
【００２６】
例えば、この実施形態は、製造ステップ数を減らし、かつ、ヒールカウンタの構造特性を向上させることができる。
【００２７】
本発明のさらなる実施形態では、適応ヒール要素は、適応ヒール要素の内層と外層との間に配置される、発泡材料の少なくとも１つの部分を含む。
【００２８】
例えば、この実施形態は、適応ヒール要素のクッション性を高めることができ、それにより、踵のフィット感をさらに高め、かつ、靴の着用中に着用者の足の踵領域に与えられる望ましくない圧力および／または摩擦をさらに減少させる。
【００２９】
本発明のさらなる実施形態では、適応ヒール要素の外側および内側の縁部は、靴のアッパーの外側および内側の区間の縁部と接合され、ここで、適応ヒール要素の外側および内側の縁部は、縫合継ぎ目により、靴のアッパーの外側および内側の区間と接合され得る。
【００３０】
例えば、この実施形態は、製造中の適応ヒール要素と靴のアッパーの残りの区間との高速かつ簡便な統合を可能にする−靴の費用および製造期間を潜在的に減少させる。
【００３１】
さらなる実施形態では、靴のアッパーの外側および内側の区間と適応ヒール要素との間の接合縁部が、ヒールカウンタにより少なくとも部分的に覆われる。
【００３２】
例えば、この実施形態は、適応ヒール要素と靴のアッパーの外側および内側の区間との間の接合縁部に直接作用する潜在的な応力を減少させることにより、靴の構造的完全性を高め、結果として、靴の寿命が増大される。
【００３３】
本発明のさらなる実施形態では、適応ヒール要素のストレッチ材料は、２方向ストレッチ材料を含み、この２方向ストレッチ材料は、特に２方向ストレッチ丸編みサンドイッチメッシュ（2-way stretch circular knit sandwich mesh）を含み得る。本発明の他の実施形態では、適応ヒール要素のストレッチ材料は、４方向ストレッチ材料を含み得る。
【００３４】
具体的には、ストレッチ材料は、長手方向において、１００Ｎ（ニュートン）の荷重下で、７５％から１３０％の間、好ましくは８５％から１２０％の間、最も好ましくは９５％から１１５％の間のストレッチ性を示し得る。さらに、ストレッチ材料は、横方向において、１００Ｎの荷重下で、６０％から１３０％の間、好ましくは７５％から１２０％の間、最も好ましくは８５％から１０５％の間のストレッチ性を示し得る。さらに、ストレッチ材料は、３００ｇ／ｍ２から７００ｇ／ｍ２の間、好ましくは４００ｇ／ｍ２から６００ｇ／ｍ２の間、より好ましくは４５０ｇ／ｍ２から５５０ｇ／ｍ２の間、最も好ましくは４７５ｇ／ｍ２から５２５ｇ／ｍ２の間の面密度を示し得る。
【００３５】
例えば、前述のパラメータ範囲は、適応ヒール要素が様々な着用者の踵領域の異なる解剖学的形状に輪郭を合わせることを可能にする、必要な変形能を、適応ヒール要素に提供することができる。
【００３６】
一例として、本発明の靴は、高性能のランニングシューズ、（屋内用の）サッカーシューズ、バスケットボールシューズ、テニスシューズ、または類似のものなどの運動靴であり得る。
【００３７】
本発明のさらなる態様は、靴、運動靴を製造するための方法であって、ヒール部分を用意するステップと、靴のヒール部分に配置される適応ヒール要素を用意するステップであって、適応ヒール要素がストレッチ材料を含む、ステップと、ヒール部分にヒールカウンタを配置するステップであって、ヒールカウンタが、着用者の足の踵を支持するための外側部分および内側部分、ならびにそれらの間の後部間隙を含み、後部間隙が、実質的に垂直の分割部分を形成し、分割部分が、適応ヒール要素が分割部分内で移動および変形することができるように適合される、ステップと、適応ヒール要素が着用者の踵の解剖学的形状に輪郭が合うように適合されるように、適応ヒール要素を用意するステップと、を含む方法を提供する。
【００３８】
本発明の態様は、添付の図面を参照することにより、以下でより詳細に説明される。
【図面の簡単な説明】
【００３９】
【図１】本発明の一実施形態による運動靴の後外側の図（lateral-posterior view）である。
【図２】本発明の一実施形態による運動靴の後側の図である。
【図３】本発明の一実施形態による運動靴の上面図である。
【図４】本発明の一実施形態による運動靴の内側の図である。
【図５】図５ａ〜５ｃは、本発明の一実施形態による靴の適応ヒール要素の構造概略図（construction schematic）である。
【図６】図６ａ〜６ｂは、本発明の一実施形態による靴のヒール部分の構造概略図である。
【図７】図７ａ〜７ｂは、本発明の一実施形態による靴のヒール部分の構造概略図である。
【図８】本発明の一実施形態による靴のヒール部分の構造概略図である。
【発明を実施するための形態】
【００４０】
以下において、ヒール部分を含む靴の本発明の例示的な実施形態が、運動靴などの靴を参照してより詳細に説明される。しかし、本発明は特定の靴に限定されるものではなく、他のタイプの靴、例えば高性能のランニングシューズ、（屋内用の）サッカーシューズ、バスケットボールシューズ、テニスシューズ、または類似のものに応用され得ることが、理解されるべきである。
【００４１】
さらに、本発明のいくつかの実施形態に関して特定の特徴の組合せが以下で説明されるが、本開示はそのような実施形態に限定されるものではないことが、理解されるべきである。言い換えれば、本発明を実現するために全ての特徴が存在しなければならない訳ではなく、実施形態は、１つの実施形態のいくつかの特徴と別の実施形態の１つまたは複数の特徴とを組み合わせることによって修正されてもよい。
【００４２】
図１は、本発明の一実施形態による靴の後外側の図を示す。靴は、例えばソール組立体といったいくつかある構成要素の中でも特に、ヒール区間１１０を備え、このヒール区間１１０は、４方向ストレッチ材料および／または２方向ストレッチ材料などのストレッチ材料を含む適応ヒール要素１２０を備える。ストレッチ材料は、２方向ストレッチ丸編みサンドイッチメッシュおよび／または顕著なストレッチ性および／変形性を示す任意の他のストレッチ材料もしくは材料の組合せであることが好ましい。ヒール区間１１０は、ヒールカウンタをさらに備えることができ、このヒールカウンタは、図１に示された実施形態では、ヒール部分１１０の外側上に配置されかつ／またはヒール部分１１０の外側に付着され得る外側部分１３０および内側部分１４０を含む、分割外部ヒールカウンタ（split external heel counter）として実現されている。ヒールカウンタは、ヒール部分１１０の下層の適応ヒール要素１２０を少なくとも部分的に覆わない、略垂直の分割部分１５０（略垂直とは、分割部分の垂直方向の範囲がその水平方向の範囲よりも大きいことを意味する）を形成している。これは、着用者の足の踵を支持することを可能にし、それと同時に、着用者の足のアキレス腱ならびに隣接する組織および皮膚が、靴のヒール部分１１０の適応ヒール要素１２０のストレッチ材料よりも著しく堅いものとされ得るヒールカウンタの材料によって引き起こされる望ましくない圧力を受けないことを確実にする。例えば、ヒールカウンタは、当技術分野で使用されている、必要とされる機械的な性能および剛性を持つ任意の知られたポリマー、例えばポリアミド、熱可塑性ポリウレタン、ポリカーボネート、または類似のものを含み得る。ヒールカウンタの外側部分１３０および内側部分１４０は、互いの直接的な接続を示さない別個の部品として実装されてもよい（すなわち、略垂直の分割部分１５０は、着用者のアキレス腱の方向において、ヒールカウンタの長手方向の範囲全体に沿って延在する）。ヒールカウンタの外側部分１３０および内側部分１４０はまた、少なくとも１つの接合要素によって接続されてもよく、または、一体に形成されてもよい。これは、ヒールカウンタを製造するのに有利であり得る。そのような構成では、垂直の分割部分１５０は、ヒールカウンタの長手方向の範囲のうちのわずかな部分だけに沿って延在することができ、または、１つまたはいくつかの接合要素によって分断され得る。靴のヒール部分の輪郭形成部分１２０は、靴のアッパーの外側および内側の区間（図１には示されていない）に直接接続されてもよい。例えば、適応ヒール要素とアッパーの外側および内側の区間との間の縁部１７０は、当技術分野でよく知られているように、縫合継ぎ目、または靴のアッパーの構成要素を接合するための任意の他の適切な手段を介して接合されてもよい。
【００４３】
図２は、本発明の一実施形態による靴の後側の図を示す。上記の図１の説明の通りに、靴のヒール区間２１０は、４方向ストレッチ材料および／または２方向ストレッチ材料などの、また特に２方向ストレッチ丸編みサンドイッチメッシュおよび／または顕著なストレッチ性および／変形性を示す任意の他のストレッチ材料もしくは材料の組合せなどのストレッチ材料を含む、適応ヒール要素２２０を備え得る。ヒール区間２１０は、ヒールカウンタをさらに備えることができ、このヒールカウンタは、ヒール部分２１０の外側上に配置されかつ／またはヒール部分２１０の外側に付着され得る外側部分２３０および内側部分２４０を含む外部分割ヒールカウンタ（external split heel counter）として実装され得る。別の例では、外側部分および内側部分はまた、例えば裏地または他の材料によって覆われ得る。ヒールカウンタは、通常は足のアキレス腱が位置する着用者の足の領域においてヒール部分２１０の下層の適応ヒール要素２２０を少なくとも部分的に覆わない、略垂直の分割部分２５０を形成する。
【００４４】
分割部の水平方向の寸法（図２では矢印２５０によって示される）は、１５ｍｍから３０ｍｍの間で変化し得ることが好ましい。分割部の幅は、一定である必要はない。例えば、分割部の幅は、図２によって例として示されるように、底部（ソールに近い）ではより狭くなり、ヒールカウンタの上部ではより広くなってもよい。一例として、最も幅の狭い部分は、１５ｍｍとされ、最も幅の広い部分は、３０ｍｍとされ得る。底部では２０ｍｍで頂部近くでは２５ｍｍのように、他の寸法も考えられる。このようにして、分割部は、台形の形状に類似し得る。しかし、分割部の形状および／または寸法は、靴のサイズにも左右されることが、当業者には理解されよう。
【００４５】
ヒールカウンタのこの構造は、着用者の足の踵を支持することを可能にし、それと同時に、着用者のアキレス腱ならびに隣接する組織および皮膚が、靴のヒール部分２１０の適応ヒール要素２２０のストレッチ材料よりも著しく堅いものとされ得るヒールカウンタの材料によって引き起こされる望ましくない圧力を受けないことを確実にする。
【００４６】
図２の例では、ヒールカウンタの外側部分２３０および内側部分２４０は、互いの直接的な接続を示さない別個の部品として実装されている（すなわち、略垂直の分割部分２５０は、着用者のアキレス腱の方向において、ヒールカウンタの長手方向の範囲全体に沿って延在する）。しかし、ヒールカウンタの外側部分２３０および内側部分２４０はまた、少なくとも１つの接合要素によって接続されてもよく、または、継手構成要素として一体に形成されてもよい。そのような構成では、垂直の分割部分２５０は、ヒールカウンタの長手方向の範囲のうちのわずかな部分だけに沿って延在することができ、または、１つまたはいくつかの接合要素によって分断され得る。
【００４７】
さらに、適応ヒール要素２２０は、靴の外側に向けられる外層と、着用者の足に向けられる内層とを備え得る。前述の２重層構造は、ストレッチ材料を折り重ねることによって形成されてもよく、この場合、折り目は、適応ヒール要素２２０の上縁部に配置され得る。上記のような２重層構造を備え得る適応ヒール要素２２０は、適応ヒール要素の外層に切抜き２６０をさらに備えてもよい。適応ヒール要素２２０は、適応ヒール要素２２０を靴の矢状面上に投影して見たときに適応ヒール要素２２０が着用者の足のアキレス腱から離れる方向に引っ張られてＳ字形状を形成するように、切抜き２６０の縁部に沿って縫い合わせられてもよい。
【００４８】
一例では、縫い合わせられる切抜き２６０は、適応ヒール要素２２０の上半分内に、または、適応ヒール要素２２０の上部３分の１内にすら、配置され得る。切抜きが異なって配置される、または切抜きが適応ヒール要素２２０上の異なる位置に配置される、他の構成も考えられる。さらに、切抜き２６０の縫い合わせられた継ぎ目は、アーチの頂点を適応ヒール要素２２０の上縁部に向けた、アーチ様の形状を示してもよい。この構成は、着用者の足の踵領域および／または踵のアキレス腱に与えられ得る圧力および摩擦を減少させるために、適応ヒール要素の形状および歪み分布をさらに向上させることができる。
【００４９】
靴のヒール部分の適応ヒール要素２２０は、靴のアッパーの外側および内側の区間（図２には示されていない）に接続されてもよく、この場合、適応ヒール要素２２０と靴のアッパーの外側および内側の区間との間の縁部２７０は、縫合継ぎ目（例えば、フラットスティッチまたはジグザグスティッチ）を介して接合されてもよく、または、靴のアッパーの構成要素を接合するための当技術分野で知られている（グルーイングまたはセメンティングなどの）任意の他の適切な手段によって接合されてもよい。
【００５０】
適応ヒール要素２２０と靴のアッパーの外側および内側の区間との間の接合継ぎ目２７０はさらに、外部ヒールカウンタの外側部分２３０および内側部分２４０によって少なくとも部分的に覆われてもよい。
【００５１】
図３は、本発明の一実施形態による靴の上面図を示す。図１および図２を参照してすでに上述された特徴に加えて、図３は、靴のヒール部分３１０の適応ヒール要素３２０が、ヒール部分の適応ヒール要素３２０の長手方向に沿って（すなわち、着用者の足のアキレス腱の方向に）延在するＵ字形状の輪郭３２５を形成することを、さらに示す。前述のＵ字形状の輪郭３２５は、適応ヒール要素３２０によって含まれるストレッチ材料のストレッチ性と相まって、ウォーキング、ランニング、および／もしくはジョギング、または他の活動中に靴を着用しているときに、適応ヒール要素３２０が、一般に着用者の足の踵領域の解剖学的形状に、また特にアキレス腱の解剖学的形状に、しっかりと適応することを可能にする。さらに、図３は、外部ヒールカウンタの外側部分３３０および内側部分３４０の位置、ならびに適応ヒール要素３２０と靴のアッパーの外側および内側の区間との間の接合継ぎ目３７０を再度示す。
【００５２】
図４は、本発明の一実施形態による運動靴の内側の図を示す。先行する図の通りに、靴のヒール区間４１０は、靴の後端に配置された適応ヒール要素４２０と、内側部分４３０および外側部分４４０（図示せず）を含む外部ヒールカウンタとを備える。さらに、図４は、その縁部に沿って縫い合わせられた切抜き４６０と、適応ヒール要素４２０と靴のアッパーの内側区間との間の接合継ぎ目４７０と、それに沿ってストレッチ材料が折り重ねられて適応ヒール要素４２０の２重層材料を形成する、適応ヒール要素４２０の頂部（ヒールカウンタタブとも呼ばれる）に配置された折り目４８０とを示す。２重層ストレッチ材料および楕円形の縫い合わせられた切抜き４６０を含む適応ヒール要素４２０の特別な設計は、適応ヒール要素４２０の製造を著しく簡易化するのとともに、適応ヒール要素４２０が、しっかりとした踵の固定を確実にするのに必要とされる上述のＳ字形状を示すのと同時に着用者の足の踵領域および／またはアキレス腱に与えられる圧力および／または摩擦の減少を示すことを、確実にする。
【００５３】
図５ａ〜５ｃは、本発明の一実施形態による運動靴の適応ヒール要素５２０の構造概略図を示す。図５ａ〜５ｃの中央にある一点鎖線は、適応ヒール要素５２０のストレッチ材料が折り重ねられて２重層材料を形成する折り目の位置を示す。この位置は、上記の図４における折り目４８０に対応する。図５ａでは、ストレッチ材料の外層にある楕円形または目の形状の切抜き５６０が示されている。図５ｂは、切抜き５６０が切抜き５６０の縁部に沿って縫い合わせられた後の適応ヒール要素５２０を示し、ここでは、縫合継ぎ目は、アーチの頂点をストレッチ材料の折り目に向けているアーチ様の形状を示す。図５ｃは、グルーイング、裁縫、または類似の手段などの条片を取り付けるのに適した手段により補強材料の条片５６５が適応ヒール要素５２０に取り付けられた後の適応ヒール要素５２０を示す。補強材料の条片５６５は、適応ヒール要素５２０のストレッチ材料と同じ材料および／もしくは類似のストレッチ性の材料、ならびに／または適応ヒール要素５２０のストレッチ材料とは異なるストレッチ性および材料特性を示す材料を含むことができる。
【００５４】
図６ａ〜６ｂは、図５ａ〜５ｃの適応ヒール要素５２０がどのようにして製造中にさらに加工されて靴のアッパーに統合されるのかを示す。図６ａは、切抜き６６０がアーチ様の縫い目によって縫い合わせられた後の、また、補強材料の条片６６５が適応ヒール要素６２０に取り付けられた後の、適応ヒール要素６２０を示す。前述のように、一点鎖線は、それに沿ってストレッチ材料が折り重ねられて２重層材料を形成する折り目の位置を示す。さらに、２つのさらなる材料のシート６２６が、２つの追加の縫合継ぎ目に沿って、ストレッチ材料の内層と接合されている。追加の材料のシート６２６は、適応ヒール要素６２０と同じストレッチ材料、および／もしくは異なる材料、ならびに／または、ストレッチ材料および／もしくは様々な材料の組合せを含むことができる。図６ｂは、ストレッチ材料を折り重ねる前の（この場合も、折り目の位置は一点鎖線で示されている）、また、外部ヒールカウンタの外側部分および内側部分（図示せず）を靴のヒール部分の外面に取り付ける前の、靴のヒール部分の構造概略図を示す。図６ａに示された構成要素および特徴に加えて、図６ｂはまた、グルーイング、例えばフラットロックスティッチングもしくはジグザグスティッチングを介した縫い合わせ、または靴構成の技術分野で知られている任意の他の接合手段により適応ヒール要素６２０と接合されている、靴のアッパーの外側および内側の区間６７５の一部分を示す。図６ｂでは、適応ヒール要素６２０は補強材料の条片６６５が適応ヒール要素６２０の後ろに隠されるように裏返されていることが、留意されるべきである。
【００５５】
以下において、本発明による靴のための製造方法の一実施形態が、図５ａ〜５ｃ、図６ａ〜６ｂ、図７ａ〜７ｂ、および図８を参照してさらに詳細に説明される。第１のステップでは、ストレッチ材料を含む適応ヒール要素５２０が用意される。ストレッチ材料は、一般に靴の構成要素の、または特に運動靴の構成要素の製造に適した、任意の２方向または４方向のストレッチ材料であってよい。例は、２方向ストレッチ丸編みサンドイッチメッシュまたは類似の材料を含む。次のステップでは、楕円形または目の形状の切抜き５６０が、適応ヒール要素５２０の折り目線より下に作り出され、折り目線は、一点鎖線で示されている。切抜きの形状は、上記のように、矩形、円形、台形、または組立て後に適応ヒール要素５２０の同様のＳ字形状をもたらす任意の他の適切な形状のような、異なる形状であってもよい。切抜き５６０の位置は、折り畳み後に折り畳まれた適応ヒール要素５２０の上半分または上部３分の１内に切抜き５６０があるように配置され、ここで、適応ヒール要素５２０の上縁部は、折り目線の位置によって画定される。切抜き５６０を含む、折り目線より下の適応ヒール要素の区間は、最終的な靴の組立において適応ヒール要素５２０の外層を構成し得る。切断、型抜き、または類似の手段などの適切な手段により切抜き５６０が作り出された後、切抜き５６０は、図５ｂに示されるように切抜きの縁部に沿って縫い合わせられる。切抜き５６０の接合継ぎ目の形状は、アーチ様であってもよく、この場合、アーチの頂点は、折り目線に向けられ、したがって、最終的な靴の組立において適応ヒール要素の頂部に向けられる。切抜き５６０の縁部はまた、グルーイング、縁部溶融、または類似の手段などの、他の手段によって接合されてもよい。図５ｃは、切抜き５６０の接合された縁部よりもわずかに下に補強材料の条片５６５を取り付けることを含む、さらなる任意選択の製造ステップを示し、条片５６５は、切抜き５６０の接合された縁部の場合もそうであり得るように、折り目線に向けられた頂点を有するアーチ様の形状を示す。補強材料の条片は、グルーイング、縫い合わせ、溶融、または適応ヒール要素５２０のストレッチ材料に材料の条片を取り付けるのに適した任意の他の手段などの手段を介して、適応ヒール要素の表面に取り付けられ得る。適応ヒール要素５２０、６２０が図５または類似の図に示されるように準備されると、適応ヒール要素５２０、６２０は、図６ａに示されるように、２つの追加の接合継ぎ目を介して、２つの追加の材料のシート６２６にさらに接続され得る。これらの継ぎ目は、上記のように、縫い合わせまたは様々な接合法を介して接合され得る。製造法の次のステップでは、この段階において２つの追加の材料のシート６２６をも含み得る適応ヒール要素５２０は、靴の外側および内側の区間６７５と接合され得る。適応ヒール要素６２０を靴のアッパーの外側および内側の区間に接続する接合縁部は、裁縫、縁部溶融、または上述されかつ当技術分野で知られているような類似の方法によって接合され得る。図６ｂでは、補強材料の条片は示された組立体の他の表面上に配置されているので不可視であることに、留意されたい。
【００５６】
図７ａに示されるように、次の製造ステップでは、発泡材料を含む、ヒール区間のさらなる構成要素７８０が、図６ａに示された組立体に取り付けられる。発泡構成要素７８０の好ましい形状が、図７ａに示される。前述の形状は、着用者の足の踵の望ましい領域に、特に足のアキレス腱の領域内に、クッション性を提供するように構成される。発泡構成要素７８０の発泡材料は、靴構成の技術分野で知られておりかつ必要とされるクッション性を示す、任意の発泡材料であってよい。図７ｂは、靴のヒール部分の製造中に発泡部品７８０が適応ヒール要素７２０を含む組立体に取り付けられ得る位置を示す。発泡構成要素７８０は、図７ｂに示された組立体の裏面に（すなわち、図７ｂの平面の内側に面する組立体の面上に）取り付けられることが、留意されるべきである。切抜き７６０および任意の補強材料の条片（図７ｂには示されていない）のように、発泡構成要素７８０は、この場合もやはり一点鎖線によって示された折り目線より下に取り付けられる。これは、発泡構成要素の中心区間が折り畳み後に適応ヒール要素７２０の外層と内層との間に挟まれるという効果を有し、ここで、発泡構成要素７８０の外側区間は、図７ｂに示された組立体を折り目線に沿って折り畳んだ後に、２つの追加の材料のシート７２６と靴のアッパーの外側および内側の区間７７５との間に挟まれることになる。
【００５７】
図８は、一点鎖線の折り目線に沿って組立体が折り畳まれた後の、図７ｂに示されたのと同じ構成要素を含む図７ｂの組立体を示す。
【００５８】
さらなる製造ステップは、ヒール部分の外面上および／またはヒール部分内にヒールカウンタを配置しかつ取り付けるステップを含む。いくつかの例では、ヒールカウンタは、着用者の足の踵を支持するための外側部分および内側部分、ならびにそれらの間の後部間隙を含む場合があり、後部間隙は、略垂直の分割部分を形成することができ、この分割部分は、適応ヒール要素８２０が分割部分内で移動および変形することができるように構成されてもよく、また、分割部分内の適応ヒール要素は、着用者の踵の解剖学的形状に輪郭が合うように適合される。
【００５９】
以下において、本発明の理解を促進するために、さらなる実施形態を説明する。
１．  靴、特に運動靴であって、
ａ．ヒール部分（１１０、２１０）と、
ｂ．前記靴の前記ヒール部分（１１０、２１０）内に配置された適応ヒール要素（１２０、２２０）であって、ストレッチ材料を含む適応ヒール要素（１２０、２２０）と、
ｃ．前記ヒール部分（１１０、２１０）内に配置されたヒールカウンタであって、着用者の足の踵を支持するための外側部分（１３０、２３０）および内側部分（１４０、２４０）、ならびにそれらの間の後部間隙を含むヒールカウンタと、
を備え、
ｄ．前記後部間隙が、略垂直の分割部分（１５０、２５０）を形成し、
ｅ．前記分割部分（１５０、２５０）が、前記適応ヒール要素（１２０、２２０）が前記分割部分（１５０、２５０）内で移動および変形することができるように適合され、
ｆ．前記適応ヒール要素（１２０、２２０）が、前記着用者の前記踵の解剖学的形状に輪郭が合うように適合される、
靴。
２．  前記適応ヒール要素が、前記着用者のアキレス腱の解剖学的形状に輪郭が合うように構成される、請求項１に記載の靴。
３．  前記ヒールカウンタが、前記靴の前記ヒール部分（１１０、２１０）の外面上に配置される、請求項１または２に記載の靴。
４．  ａ．前記垂直な分割部分の上端部が、２０ｍｍから３０ｍｍの間、より好ましくは２８ｍｍから２２ｍｍの間、最も好ましくは２７ｍｍから２３ｍｍの間の幅を有し、
ｂ．前記垂直な分割部分の下端部が、１５ｍｍから２５ｍｍの間、より好ましくは１７ｍｍから２３ｍｍの間、最も好ましくは１８ｍｍから２２ｍｍの間の幅を有する、
請求項１から３のいずれか一項に記載の靴。
５．  前記適応ヒール要素が、前記靴の矢状面に投影されたときにＳ字形状を示す、請求項１から４のいずれか一項に記載の靴。
６．  前記適応ヒール要素が、前記適応ヒール要素の長手方向の範囲に沿ってＵ字形状の輪郭を形成する、請求項１から５のいずれか一項に記載の靴。
７．  前記適応ヒール要素が、外層および内層を含み、２重層材料を形成するように折り重ねられる、請求項１から６のいずれか一項に記載の靴。
８．  前記適応ヒール要素が、前記ストレッチ材料の前記外層内に切抜きを含み、前記切抜きが、前記切抜きの縁部に沿って縫い合わせられる、請求項１から７のいずれか一項に記載の靴。
９．  前記適応ヒール要素の前記外層内の前記切抜きが、楕円形の形状または目の形状を有する、請求項８に記載の靴。
１０．  前記適応ヒール要素の前記外層内の前記切抜きが、前記適応ヒール要素の上半分内に配置される、請求項８または９に記載の靴。
１１．  前記適応ヒール要素の前記外層内の前記切抜きが、前記適応ヒール要素の上部３分の１内に配置される、請求項８から１０のいずれか一項に記載の靴。
１２．  前記適応ヒール要素が、補強材料の層を含む、請求項１から１１のいずれか一項に記載の靴。
１３．  前記補強材料の層が、前記適応ヒール要素の前記内層と前記外層との間に配置される、請求項１から１２のいずれか一項に記載の靴。
１４．  前記ヒールカウンタの前記外側部分および前記内側部分が、少なくとも１つの接合要素を介して接続されるか、または一体に形成される、請求項１から１３のいずれか一項に記載の靴。
１５．  前記適応ヒール要素が、前記適応ヒール要素の前記内層と前記外層との間に配置される、発泡材料の少なくとも１つの部分を含む、請求項１から１４のいずれか一項に記載の靴。
１６．  前記適応ヒール要素の外側および内側の縁部が、前記靴のアッパーの外側および内側の区間の縁部と接合される、請求項１から１５のいずれか一項に記載の靴。
１７．  前記適応ヒール要素の前記外側および内側の縁部が、縫合継ぎ目により前記アッパーの前記外側および内側の区間と接合される、請求項１６に記載の靴。
１８．  前記アッパーの前記外側および内側の区間と前記適応ヒール要素との間の前記接合部が、ヒールカウンタにより少なくとも部分的に覆われる、請求項１６または１７に記載の靴。
１９．  前記ストレッチ材料が、２方向ストレッチ材料を含む、請求項１から１８のいずれか一項に記載の靴。
２０．  前記ストレッチ材料が、２方向ストレッチ丸編みサンドイッチメッシュを含む、請求項１９に記載の靴。
２１．  前記ストレッチ材料が、４方向ストレッチ材料を含む、請求項１から１８のいずれか一項に記載の靴。
２２．  前記ストレッチ材料が、長手方向において、おおよそ１００ニュートン（Ｎ）の荷重下で、７５％から１３０％の間、好ましくは８５％から１２０％の間、最も好ましくは９５％から１１５％の間のストレッチ性を示す、請求項１から２１のいずれか一項に記載の靴。
２３．  前記ストレッチ材料が、横断方向において、おおよそ１００Ｎの荷重下で、６０％から１３０％の間、好ましくは７５％から１２０％の間、最も好ましくは８５％から１０５％の間のストレッチ性を示す、請求項１から２２のいずれか一項に記載の靴。
２４．  前記ストレッチ材料が、３００ｇ／ｍ２から７００ｇ／ｍ２の間、好ましくは４００ｇ／ｍ２から６００ｇ／ｍ２の間、より好ましくは４５０ｇ／ｍ２から５５０ｇ／ｍ２の間、最も好ましくは４７５ｇ／ｍ２から５２５ｇ／ｍ２の間の面密度を示す、請求項１から２３のいずれか一項に記載の靴。
２５．  請求項１から２４のいずれか一項に記載のヒールカウンタを備える靴。
２６．  靴、運動靴を製造するための方法であって、
ａ．ヒール部分を用意するステップと、
ｂ．前記靴の前記ヒール部分に配置される適応ヒール要素を用意するステップであって、前記適応ヒール要素がストレッチ材料を含む、ステップと、
ｃ．前記ヒール部分にヒールカウンタを配置するステップであって、前記ヒールカウンタが、着用者の足の踵を支持するための外側部分および内側部分、ならびにそれらの間の後部間隙を含み、前記後部間隙が、略垂直の分割部分を形成し、前記分割部分が、前記適応ヒール要素が前記分割部分内で移動および変形することができるように適合される、ステップと、
ｄ．前記適応ヒール要素が着用者の踵の解剖学的形状に輪郭が合うように適合されるように、前記適応ヒール要素を用意するステップと、
を含む、方法。
【符号の説明】
【００６０】
１１０  ヒール区間、ヒール部分
１２０  適応ヒール要素、輪郭形成部分
１３０  外側部分
１４０  内側部分
１５０  分割部分
１７０  縁部
２１０  ヒール区間、ヒール部分
２２０  適応ヒール要素
２３０  外側部分
２４０  内側部分
２５０  分割部分、矢印
２６０  切抜き
２７０  縁部、接合継ぎ目
３１０  ヒール部分
３２０  適応ヒール要素
３２５  Ｕ字形状の輪郭
３３０  外側部分
３４０  内側部分
３７０  接合継ぎ目
４１０  ヒール区間
４２０  適応ヒール要素
４３０  内側部分
４４０  外側部分
４６０  切抜き
４７０  接合継ぎ目
４８０  折り目
５２０  適応ヒール要素
５６０  切抜き
５６５  補強材料の条片
６２０  適応ヒール要素
６２６  材料のシート
６６０  切抜き
６６５  補強材料の条片
６７５  外側および内側の区間
７２０  適応ヒール要素
７２６  材料のシート
７６０  切抜き
７７５  外側および内側の区間
７８０  発泡構成要素、発泡部品
８２０  適応ヒール要素
【図１】
2019080913.tif 000003
【図２】
2019080913.tif 000004
【図３】
2019080913.tif 000005
【図４】
2019080913.tif 000006
【図５】
2019080913.tif 000007
【図６】
2019080913.tif 000008
【図７】
2019080913.tif 000009
【図８】
2019080913.tif 000010
【外国語明細書】
2019080913000001.pdf